(57)【特許請求の範囲】
【請求項１】
部品搭載装置を用いて基板に部品を搭載する部品搭載方法において、
基板を構成する部品情報が格納された基板部品情報と基板をどの部品搭載装置で製造するかやその製造数が格納された製造計画情報を基に、所定の部品搭載装置により製造される基板毎に、基板に搭載する部品名と、基板が部品搭載装置によりその日に製造される順番と部品が格納されたカセットをセットするレーン番号を示す使用レーン番号Ｎ、部品が格納されたカセットが１つ前に製造された基板で使用されたときの使用レーン番号を示す使用レーン番号Ｐ、部品が格納されたカセットが次に使用されるときの使用レーン番号を示す使用レーン番号Ｆの情報が格納された部品搭載情報を作成する部品搭載情報作成工程（１）と、
部品搭載装置で製造している基板の次に製造する基板の部品搭載情報を参照し、搭載する部品が１つ前に製造された基板で使用されている場合はカセットを作成せず、搭載する部品が２つ前より先に製造された基板で使用された場合は保管カセット台から対応するカセットを待機カセット台にセットし、搭載する部品が以前に製造された基板で使用されていない場合はその部品が格納されたカセットを作成して待機カセット台にセット後に待機カセット台をカセット搭載工程（３）に送るカセット組立工程（２）と、
部品搭載装置で製造が完了した基板の部品搭載情報を参照し、搭載が完了した部品が次に製造する基板で使用されない場合は対応するカセットを部品搭載装置から返却カセット台にセットし、搭載が完了した部品が次に製造する基板で使用され、かつ異なるレーン番号で使用される場合は対応するカセットを部品搭載装置上で移動させた後、部品搭載装置で次に製造する基板の部品搭載情報を参照し、待機カセット台のカセットを対応する部品搭載装置のレーン番号にセットする、また返却カセット台をカセット解体工程（４）に送るカセット搭載工程（３）と、
部品搭載装置で製造が完了した基板の部品搭載情報を参照し、カセット搭載工程（３）から送られた返却カセット台のカセットの内、今後の製造で使用されないカセットをケースとリール部品とに分解し、ケースはケース置場に、リール部品は部品倉庫に送り、今後使用するカセットはカセット組立工程（２）の保管カセット台に置くカセット解体工程（４）とで構成することを特徴とする部品搭載方法。
【請求項２】
部品搭載装置のカセットを取付けるレーン毎にカセット交換時の取り扱いを指示する表示部（３３）と、
基板を構成する部品情報が格納された基板部品情報と基板をどの部品搭載装置で製造するかやその製造数が格納された製造計画情報を基に、所定の部品搭載装置により製造される基板毎に、基板に搭載する部品名と、基板が部品搭載装置によりその日に製造される順番と部品が格納されたカセットをセットするレーン番号を示す使用レーン番号Ｎ、部品が格納されたカセットが１つ前に製造された基板で使用されたときの使用レーン番号を示す使用レーン番号Ｐ、部品が格納されたカセットが次に使用されるときの使用レーン番号を示す使用レーン番号Ｆの情報が格納された部品搭載情報が記録される記憶部（３２）と、
記憶部（３２）から部品搭載情報を読み取り、カセット交換時の取り扱いの表示を表示部に行う制御部（３１）とで構成することを特徴とする交換カセット表示システム。
【請求項３】
請求項２記載の交換カセット表示システムにおいて、
次の製造に使用しないカセット、次の製造に違うレーンで使用するカセット、次の製造に同じレーンで使用するカセットを意味する３つの異なる色のランプをカセット単位に備えた表示部（３３）を設けることを特徴とする交換カセット表示システム。
【請求項４】
請求項２記載の交換カセット表示システムにおいて、
次の製造に使用しないカセット、次の製造で使用するカセットとそのレーン番号を意味する数字をカセット単位に表示する表示部（３３）を設けることを特徴とする交換カセット表示システム。
【発明の詳細な説明】
【０００１】
【発明の属する技術分野】
この発明は、部品搭載方法および交換カセット表示システムに関するものであり、特に、部品搭載装置により製造する基板毎に、搭載する部品を部品搭載装置にセットするときのレーン番号、搭載する部品が１つ前に製造される基板で使用されるときのレーン番号、搭載する部品が次に製造される基板で使用されるときのレーン番号が格納された部品搭載情報を参照し、部品搭載装置で使用されるカセット（部品を格納する部品搭載装置専用のケースに部品をセットしたもの）を先行して用意する外段取りでは、１つ前に製造される基板で使用される部品を省いてカセットを用意し、部品搭載装置で１つの基板の製造が完了し、次に製造する基板のためにカセットを交換する内段取りでは、１つ後に製造する基板で使用されないカセットを除き、１つ後に製造する基板で使用するカセットと外段取りで用意されたカセットを部品搭載装置の所定のレーンにセットするようにすることで、部品搭載装置におけるカセット交換による停止時間を短縮する。
【０００２】
【従来の技術】
部品搭載装置を効率良く稼動させるためには、基板の製造に先行して、製造する基板に搭載する部品（リール部品）を集め、集めた部品（リール部品）をそれぞれ部品搭載装置専用のケースに格納し、製造する基板に必要なカセット一式を用意する外段取りと、部品搭載装置で１つの基板の製造が完了したとき、外段取りで用意したカセット一式を、部品搭載情報を見ながら部品搭載装置にセットする内段取りとをうまく連携させて行う必要がある。
【０００３】
図１０に、従来の部品搭載方法の説明図を示す。図中、部品搭載情報作成工程１０１は、基板を構成する部品情報が格納された基板部品情報と基板をどの部品搭載装置で製造するかやその製造数などが格納された製造計画情報を基に、所定の部品搭載装置により製造される基板毎に、基板に搭載する部品名と、その部品が格納されたカセットを部品搭載装置にセットするときのレーン番号を示す使用レーン番号が格納された部品搭載情報１０１１を作成する。
【０００４】
またカセット組立工程１０２は、部品搭載装置１０２１で製造している基板の次に製造する基板の部品搭載情報１０１１を参照し、搭載する部品をリール部品倉庫１０１２から、またリール部品を格納する部品搭載装置専用のケースをケース置場１０１３から取り出して組み込み、次に製造する基板に必要なカセット一式を待機カセット台１０１５に用意し、待機カセット台１０１５をカセット搭載工程１０３に送る。
【０００５】
また、カセット搭載工程１０３は、部品搭載装置１０２１で製造が完了した基板のカセット一式を返却カセット台１０１６に置き、返却カセット台１０１６をカセット解体工程１０４に送り、かつ次に製造する基板の部品搭載情報１０１１を参照し、待機カセット台１０１５に用意されているカセットを対応する部品搭載装置のレーン番号にセットして、部品搭載装置１０２１を再稼動する。
【０００６】
また、カセット解体工程１０４は、カセット搭載工程１０３から送られた返却カセット台１０１６のカセットをケースとリール部品とに分解し、ケースをケース置場１０１３に、リール部品をリール部品倉庫１０１２に送る。
【０００７】
このように、部品搭載方法を部品搭載情報作成工程１０１、カセット組立工程１０２、カセット解体工程１０４の外段取りと、カセット搭載工程１０３の内段取りとで構成し、カセット組立工程では部品搭載情報を参照して、製造される基板に搭載する部品のカセットを先行して用意し、カセット搭載工程では製造が完了した基板に使用したカセットを部品搭載装置から全て外し、カセット組立工程で用意されたカセットを部品搭載装置にセットし、カセット解体工程では製造が完了した基板に使用したカセットを分解し、次に製造する基板に使用できるようにすることで、部品搭載作業が円滑に進むようにしている。
【０００８】
【発明が解決しようとする課題】
しかしながら、図１０に示す従来技術では、外段取りにおいて、使用率の高いリール部品や部品搭載装置専用のケースを多数保有しなくてはならない、また同じ部品の段取りを行うなど多くの無駄な作業が発生するという問題点があった。
【０００９】
また、内段取りにおいて、部品搭載情報を見ながら部品交換の作業を行うため、時間が掛かったり、部品の取付けを間違えたりするという問題点があった。
【００１０】
【課題を解決するための手段】
この発明は上記のような問題点を考慮してなされたもので、部品搭載方法および交換カセット表示システムにおいて、部品搭載装置により製造する基板毎に、搭載する部品を部品搭載装置にセットするときのレーン番号、搭載する部品が１つ前に製造された基板で使用されたときのレーン番号、搭載する部品が次に製造される基板で使用されるときのレーン番号が格納された部品搭載情報を参照し、部品搭載装置で使用されるカセットを先行して用意する外段取りでは、１つ前に製造された基板で使用された部品を省いてカセットを用意し、部品搭載装置で１つの基板の製造が完了し、次に製造する基板のためにカセットを交換する内段取りでは、１つ後に製造する基板で使用されないカセットを除き、１つ後に製造する基板で使用するカセットと外段取りで用意されたカセットを部品搭載装置の所定のレーン番号にセットするようにすることで、部品搭載装置のカセット交換による停止時間を短縮する。
【００１１】
【発明の実施の形態】
（１）部品搭載装置を用いて基板に部品を搭載する部品搭載方法において、基板を構成する部品情報が格納された基板部品情報と基板をどの部品搭載装置で製造するかやその製造数などが格納された製造計画情報を基に、所定の部品搭載装置により製造される基板毎に、基板に搭載する部品名と、基板が部品搭載装置によりその日に製造される順番と部品が格納されたカセットをセットするレーン番号を示す使用レーン番号Ｎ、部品が格納されたカセットが１つ前に製造された基板で使用されたときの使用レーン番号を示す使用レーン番号Ｐ、部品が格納されたカセットが次に使用されるときの使用レーン番号を示す使用レーン番号Ｆの情報が格納された部品搭載情報を作成する部品搭載情報作成工程と、
部品搭載装置で製造している基板の次に製造する基板の部品搭載情報を参照し、搭載する部品が１つ前に製造された基板で使用されている場合はカセットを作成せず、搭載する部品が２つ前より先に製造された基板で使用された場合は保管カセット台から対応するカセットを待機カセット台にセットし、搭載する部品が以前に製造された基板で使用されていない場合はその部品を格納するカセットを作成して待機カセット台にセット後に待機カセット台をカセット搭載工程に送るカセット組立工程と、
部品搭載装置で製造が完了した基板の部品搭載情報を参照し、搭載が完了した部品が次に製造する基板で使用されない場合は対応するカセットを部品搭載装置から返却カセット台にセットし、搭載が完了した部品が次に製造する基板で使用され、かつ異なるレーン番号で使用される場合は対応するカセットを部品搭載装置上で移動させた後、部品搭載装置で次に製造する基板の部品搭載情報を参照し、待機カセット台のカセットを対応する部品搭載装置のレーン番号にセットする、また返却カセット台をカセット解体工程に送るカセット搭載工程と、
部品搭載装置で製造が完了した基板の部品搭載情報を参照し、カセット搭載工程から送られた返却カセット台のカセットの内、今後の製造で使用されないカセットをケースとリール部品とに分解し、ケースはケース置場に、リール部品は部品倉庫に送り、今後使用するカセットはカセット組立工程の保管カセット台に置くカセット解体工程とで部品搭載方法を構成することにより、カセット組立工程では組み立てるカセット数を減らすことができ、また、カセット搭載工程では交換するカセット数を減らすことができるので、部品搭載装置の停止時間を短縮することが可能となる。
【００１２】
（２）部品搭載装置のカセット挿入位置に設けられ交換カセットを指示する交換カセット表示システムを、部品搭載装置のカセットを取付けるレーン毎にカセット交換時の取り扱いを指示する表示部と、基板を構成する部品情報が格納された基板部品情報と基板をどの部品搭載装置で製造するかやその製造数などが格納された製造計画情報を基に、所定の部品搭載装置により製造される基板毎に、部品名と、基板を製造するときに部品搭載装置がその日に製造する基板の順番と部品が格納されたカセットをセットするレーン番号を示す使用レーン番号Ｎ、部品が格納されたカセットが１つ前に製造された基板で使用されたときの使用レーン番号を示す使用レーン番号Ｐ、部品が格納されたカセットが次に使用されるときの使用レーン番号を示す使用レーン番号Ｆの情報が格納された部品搭載情報が記録される記憶部と、記憶部から部品搭載情報を読み取り、カセット交換時の取り扱いの表示を表示部に行う制御部とで構成することにより、カセット交換作業を効率良く行うことが可能となる。
【００１３】
（３）（２）記載の交換カセット表示システムにおいて、次の製造に使用しないカセット、次の製造に違うレーンで使用するカセット、次の製造に同じレーンで使用するカセットを意味する３つの異なる色のランプをカセット単位に備えた表示部を設けることにより、簡単な構成で表示部を作成することができ、安価な交換カセット表示システムを作成することが可能となる。
【００１４】
（４）（２）記載の交換カセット表示システムにおいて、次の製造に使用しないカセット、次の製造で使用するカセットとそのレーン番号を意味する数字をカセット単位に表示する表示部を設けることにより、カセットの移動先のレーン番号が表示されるため、部品搭載情報を参照して、移動先のレーン番号を調べる必要がなくなり、カセット交換作業を更に効率良く行うことが可能となる。
【００１５】
【実施例】
図１に、本発明の部品搭載方法の説明図を示す。図中、部品搭載情報作成工程１は、基板を構成する部品情報が格納された基板部品情報と基板をどの部品搭載装置で製造するかやその製造数などが格納された製造計画情報を基に、所定の部品搭載装置により製造される基板毎に、基板に搭載する部品名と、基板が部品搭載装置によりその日に製造される順番と部品が格納されたカセットをセットするレーン番号を示す使用レーン番号Ｎ、部品が格納されたカセットが１つ前に製造された基板で使用されたときの使用レーン番号を示す使用レーン番号Ｐ、部品が格納されたカセットが次に使用されるときの使用レーン番号を示す使用レーン番号Ｆの情報が格納された部品搭載情報１１を作成する。
【００１６】
またカセット組立工程２は、部品搭載装置２１で製造している基板の次に製造する基板の部品搭載情報１１を参照し、搭載する部品が１つ前に製造された基板で使用されている場合はカセットを作成せず、搭載する部品が２つ前より先に製造された基板で使用された場合は保管カセット台１４から対応するカセットを待機カセット台１５にセットし、搭載する部品が以前に製造された基板で使用されていない場合はその部品をリール部品倉庫１２から、またリール部品を格納する部品搭載装置専用のケースをケース置場１３から取り出して組み込み、次に製造する基板に必要なカセット一式を待機カセット台１５に用意し、待機カセット台１５をカセット搭載工程３に送る。
【００１７】
またカセット搭載工程３は、部品搭載装置２１で製造が完了した基板の部品搭載情報１１を参照し、搭載が完了した部品が次に製造する基板で使用されない場合は対応するカセットを部品搭載装置２１から返却カセット台１６にセットし、搭載が完了した部品が次に製造する基板で使用され、かつ異なるレーン番号で使用される場合は対応するカセットを部品搭載装置上で移動させた後、部品搭載装置２１で次に製造する基板の部品搭載情報１１を参照し、待機カセット台１５に用意されているカセットを対応する部品搭載装置２１のレーン番号にセットする、また返却カセット台１６をカセット解体工程４に送る。
【００１８】
またカセット解体工程４は、部品搭載装置２１で製造が完了した基板の部品搭載情報１１を参照し、カセット搭載工程３から送られた返却カセット台１６のカセットの内、今後の製造で使用されないカセットをケースとリール部品とに分解し、ケースはケース置場１３に、リール部品はリール部品倉庫１２に送り、今後使用するカセットはカセット組立工程２の保管カセット台１４に置く。
【００１９】
このように、部品搭載方法を部品搭載情報作成工程１、カセット組立工程２、カセット解体工程４の外段取りと、カセット搭載工程３の内段取りとで構成し、カセット組立工程２では部品搭載情報を参照して、製造される基板に搭載する部品のカセットを１つ前で使用されている部品を除き先行して用意し、カセット搭載工程３では製造が完了した基板に使用したカセットの内、次に製造する基板に使用されないカセットを取り外し、次に製造する基板で使用するカセットは使用するレーンに移動した後、カセット組立工程２で用意されたカセットを部品搭載装置２１にセットし、カセット解体工程４では今後の製造で使用されないカセットを分解し、ケース置場とリール部品倉庫に戻し、今後使用するカセットはカセット組立工程２の保管カセット台に置き、次に製造する基板に使用できるようにすることで、カセット組立工程２では組み立てるカセット数を減らし、またカセット搭載工程３でも交換するカセット数を減らすことができるので、部品搭載装置の停止時間を短縮することが可能となる。
【００２０】
図２に、部品搭載情報の一実施例の構成図を示す。部品搭載情報１１は、部品搭載装置により製造される基板毎に、基板に搭載する部品名と、基板が部品搭載装置によりその日に製造される順番と部品が格納されたカセットをセットするレーン番号を示す使用レーン番号Ｎ、部品が格納されたカセットが１つ前に製造された基板で使用されたときの使用レーン番号を示す使用レーン番号Ｐ、部品が格納されたカセットが次に使用されるときの使用レーン番号を示す使用レーン番号Ｆとで構成されている。
【００２１】
この部品搭載情報の例は、部品搭載装置がその日に製造する基板の２番目に製造する基板のものであり、部品ＡＡＡは部品搭載装置のレーン番号：１にセットされる。なお、部品ＡＡＡは１つ前に製造された基板では部品搭載装置のレーン番号：１にセットされ、また部品ＡＡＡが次に使用されるのは部品搭載装置がその日に製造する４番目の基板でレーン番号：２にセットされる。
【００２２】
このような部品搭載情報を参照することにより、カセット搭載工程では次に製造する基板で使用するカセットがわかるので、そのカセットをそのまま使用でき、また、カセット組立工程では１つ前に使用されているカセットを用意する手間を省くことができる。
【００２３】
図３、図４を参照して、本発明の交換カセット表示システムの構成について説明する。図３は本発明の交換カセット表示システムの一実施例の構成図（１）、図４は表示部の表示ランプの説明図である。
【００２４】
図中、３３は部品搭載装置のカセットを取付けるレーン毎にカセット交換時の取り扱いを指示する表示部、３２は基板を構成する部品情報が格納された基板部品情報と基板をどの部品搭載装置で製造するかやその製造数などが格納された製造計画情報を基に、所定の部品搭載装置により製造される基板毎に、基板に搭載する部品名と、基板が部品搭載装置によりその日に製造される順番と部品が格納されたカセットをセットするレーン番号を示す使用レーン番号Ｎ、部品が格納されたカセットが１つ前に製造された基板で使用されたときの使用レーン番号を示す使用レーン番号Ｐ、部品が格納されたカセットが次に使用されるときの使用レーン番号を示す使用レーン番号Ｆの情報が格納された部品搭載情報１１が記録される記憶部、３１は記憶部３２から部品搭載情報１１を読み取り、カセット交換時の取り扱い指示表示を表示部３３に行う制御部のコンピュータである。
【００２５】
この例の表示部３３は、部品搭載装置のカセット単位に赤色、黄色、青色のランプを設けたものであり、表示ランプの意味は図４で示されるように、赤色ランプの点灯は次の製造に使用しないカセット、黄色ランプの点灯は次の製造に違うレーンで使用するカセット、青色ランプの点灯は次の製造に同じレーンで使用するカセットを意味する。
【００２６】
図５、図６を参照して、制御部の動作を説明する。図５は制御部の一実施例の処理フローチャート（１）、図６は交換カセット表示システムの入力画面と表示画面の一実施例図である。
【００２７】
以下、図５のフローにしたがって動作を説明する。
【００２８】
ステップＳ５０１：交換カセット表示の入力画面をコンピュータに接続されている入出力装置に表示し、部品の搭載が完了した部品搭載装置名と基板名をオペレータに問い合わせする。なお、図６（ａ）で示される入力画面は、部品搭載装置名、基板名の選択フィードルと、選択された基板の交換カセット表示を実行する表示ボタンや処理を終了する終了ボタンおよび交換カセットを表示する出力フィールドとで構成されている。
【００２９】
ステップＳ５０２：オペレータから指示された部品搭載装置名と基板名に対応する部品搭載情報を記憶部から読み込む。
【００３０】
ステップＳ５０３：部品搭載情報の先頭データのアドレスをポインタＰに設定する。
【００３１】
ステップＳ５０４：ポインタＰが指す部品の使用レーン番号Ｆ（次の使用レーン番号）のデータが’０’かを判定する。’０’ならばステップＳ５０５に進み、’０’でないならばステップＳ５０６に進む。
【００３２】
ステップＳ５０５：ポインタＰが指す部品の使用レーン番号Ｎのレーン番号に対応する表示部の赤色ランプを点灯する。そして、ステップＳ５１１に進む。
【００３３】
ステップＳ５０６：ポインタＰが指す部品の使用レーン番号Ｎの基板の製造順番に１を加えた使用レーン番号と使用レーン番号Ｆ（次の使用レーン番号）とが同じかを判定する。同じならばステップＳ５０７に進み、同じでないならばステップＳ５０８に進む。
【００３４】
ステップＳ５０７：ポインタＰが指す部品の使用レーン番号Ｎのレーン番号に対応する表示部の青色ランプを点灯する。そして、ステップＳ５１１に進む。
【００３５】
ステップＳ５０８：ポインタＰが指す部品の使用レーン番号Ｎの基板の製造順番に１を加えた使用レーン番号と使用レーン番号Ｆ（次の使用レーン番号）の基板の製造順番との差が１かを判定する。１ならばステップＳ５０９に進み、１でないならばステップＳ５１０に進む。
【００３６】
ステップＳ５０９：ポインタＰが指す部品の使用レーン番号Ｎのレーン番号に対応する表示部の黄色ランプを点灯する。そして、ステップＳ５１１に進む。
【００３７】
ステップＳ５１０：ポインタＰが指す部品の使用レーン番号Ｎのレーン番号に対応する表示部の赤色ランプを点灯する。
【００３８】
ステップＳ５１１：部品搭載情報の次のデータを指すようにポインタＰを更新する。
【００３９】
ステップＳ５１２：部品搭載情報の全ての部品に対して処理が終了したかを判定する。処理が終了していればステップＳ５１３に進み、処理が終了していなければステップＳ５０４に戻る。
【００４０】
ステップＳ５１３：ステップＳ５０４からステップＳ５１２の処理の中で、青色ランプと黄色ランプを点灯した部品の使用レーン番号Ｎと使用レーン番号Ｆ（次の使用レーン番号）内のレーン番号を対応させて表示する。この表示画面例が図６（ｂ）表示画面であり、現状のレーン番号は使用レーン番号Ｎ内のレーン番号が示され、次の製造のレーン番号は使用レーン番号Ｆ（次の使用レーン番号）のレーン番号が示される。そして、処理を終了する。
【００４１】
このような処理により、図３の表示部３３にカセット単位に交換カセットを指示することができ、また移動する必要があるカセットの移動先のレーン番号も容易に確認することが可能となる。
【００４２】
図７、図８を参照して、本発明の交換カセット表示システムの別の例について説明する。図７は本発明の交換カセット表示システムの一実施例の構成図（２）、図８は表示部の数字表示ランプの説明図である。
【００４３】
図７と図３との違いは、図３の表示部３３の赤色、黄色、青色ランプが２桁の数字表示ランプに変更されたものである。
【００４４】
数字表示ランプの意味は図８で示されるように、数字表示ランプが’００’の場合は次の製造に使用しないカセット、数字表示ランプが’０１’以上の場合は次の製造に使用するため、表示されている番号のレーンに移動するカセットを意味する。なお、表示される番号が現在のレーン番号を指す、つまり移動しなくてもよいこともある。
【００４５】
図９に、制御部の一実施例の処理フローチャート（２）を示す。以下、このフローにしたがって動作を説明する。
【００４６】
ステップＳ９０１：交換カセット表示の入力画面をコンピュータに接続されている入出力装置に表示し、部品の搭載が完了した部品搭載装置名と基板名をオペレータに問い合わせする。
【００４７】
ステップＳ９０２：オペレータから指示された部品搭載装置名と基板名に対応する部品搭載情報を記憶部から読み込む。
【００４８】
ステップＳ９０３：部品搭載情報の先頭データのアドレスをポインタＰに設定する。
【００４９】
ステップＳ９０４：ポインタＰが指す部品の使用レーン番号Ｆ（次の使用レーン番号）のデータが’０’かを判定する。’０’ならばステップＳ９０５に進み、’０’でないならばステップＳ９０６に進む。
【００５０】
ステップＳ９０５：ポインタＰが指す部品の使用レーン番号Ｎのレーン番号に対応する数字表示ランプに’００’を表示する。そして、ステップＳ９０９に進む。
【００５１】
ステップＳ９０６：ポインタＰが指す部品の使用レーン番号Ｎの基板の製造順番に１を加えた使用レーン番号と使用レーン番号Ｆ（次の使用レーン番号）の基板の製造順番との差が１かを判定する。１ならばステップＳ９０７に進み、１でないならばステップＳ９０８に進む。
【００５２】
ステップＳ９０７：ポインタＰが指す部品の使用レーン番号Ｎのレーン番号に対応する数字表示ランプに使用レーン番号Ｆ（次の使用レーン番号）のレーン番号を表示する。そして、ステップＳ９０９に進む。
【００５３】
ステップＳ９０８：ポインタＰが指す部品の使用レーン番号Ｎのレーン番号に対応する数字表示ランプに’００’を表示する。
【００５４】
ステップＳ９０９：部品搭載情報の次のデータを指すようにポインタＰを更新する。
【００５５】
ステップＳ９１０：部品搭載情報の全ての部品に対して処理が終了したかを判定する。処理が終了していればステップＳ９１１に進み、処理が終了していなければステップＳ９０４に戻る。
【００５６】
ステップＳ９１１：ステップＳ９０４からステップＳ９１０の処理の中で、数字表示ランプに使用レーン番号Ｆ（次の使用レーン番号）のレーン番号を表示した部品の使用レーン番号Ｎと使用レーン番号Ｆ（次の使用レーン番号）のレーン番号を対応させて表示する。そして、処理を終了する。
【００５７】
このような処理により、図７の表示部３３にカセット単位に交換カセットの指示およびその移動先のレーン番号を指示することができ、カセット交換を迅速にかつ正確に行うことが可能となる。
【００５８】
【発明の効果】
この発明は、上記に説明したような形態で実施され、以下の効果がある。
【００５９】
カセット組立工程では組み立てるカセットを減らすことができ、また、カセット搭載工程では交換するカセットを減らすことができるので、部品搭載装置の実稼動時間を大幅に向上させることが可能となる。
また、カセットの解体を少なくすることができ、解体することで発生していた部品の損失をなくすことが可能となる。
【図面の簡単な説明】
【図１】  本発明の部品搭載方法の説明図である。
【図２】  部品搭載情報の一実施例の構成図である。
【図３】  本発明の交換カセット表示システムの一実施例の構成図（１）である。
【図４】  表示部の表示ランプの説明図である。
【図５】  制御部の一実施例の処理フローチャート（１）である。
【図６】  交換カセット表示システムの入力画面と表示画面の一実施例図である。
【図７】  本発明の交換カセット表示システムの一実施例の構成図（２）である。
【図８】  表示部の数字表示ランプの説明図である。
【図９】  制御部の一実施例の処理フローチャート（２）である。
【図１０】  従来の部品搭載方法の説明図である。
【符号の説明】
１    部品搭載情報作成工程
２    カセット組立工程
３    カセット搭載工程
４    カセット解体工程
１１    部品搭載情報
１２    リール部品倉庫
１３    ケース置場
１４    保管カセット台
１５    待機カセット台
１６    返却カセット台
２１    部品搭載装置
３１    制御部
３２    記憶部
３３    表示部
【図１】
0004070927.tif 000002
【図２】
0004070927.tif 000003
【図３】
0004070927.tif 000004
【図４】
0004070927.tif 000005
【図５】
0004070927.tif 000006
【図６】
0004070927.tif 000007
【図７】
0004070927.tif 000008
【図８】
0004070927.tif 000009
【図９】
0004070927.tif 000010
【図１０】
0004070927.tif 000011